(57)【特許請求の範囲】
【請求項１】
第１の固定側接点と、この第１の固定側接点と接離される第１の可動側接点を有する導体板と、この導体板を支持する中央端子と、前記導体板と前記中央端子との間に屈曲して配設され、前記導体板を前記中央端子に揺動可動に支持するばね部材とからなる第１のスイッチ部と、第２の固定側接点と、この第２の固定側接点と接離される第２の可動側接点とからなる第２のスイッチ部と、前記導体板を前記ばね部材のばね性によりスライド移動方向に対して略垂直な方向へ変位させて前記第１の可動側接点を前記第１の固定側接点に接離させると共に、前記第２の可動側接点を変位させて前記第２の固定側接点に接離させるスライド部材と、このスライド部材を突出位置とロック位置に移動可能に保持すると共に、前記第１のスイッチ部及び前記第２のスイッチ部を内蔵するケースとを備え、前記第２の固定側接点は、前記ケースの内底面側に対向して配設された一対の固定端子からなり、前記第２の可動側接点は、前記スライド部材の下面側に配設された一対の前記固定端子と接触されるアーム部を有する捻りコイルばねからなり、前記スライド部材の下面側には、突起からなるガイド部と、このガイド部を挟んで一対のフック状の保持部を形成し、捻りコイルばねからなる前記第２の可動側接点の巻回部を前記ガイド部に挿通して係止すると共に、一対の前記アーム部を前記保持部に弾接し、初期の状態では、前記第２の可動側接点と一対の前記固定端子からなる前記第２の固定側接点とが一定の間隔をおいて離間されて接点はオフ状態であり、前記スライド部材が押し込まれると前記第２の可動側接点が前記第２の固定側接点と当接して接点がオン状態になり、さらに前記スライド部材が押し込まれても前記第２の可動側接点の一対の前記アーム部が撓んで前記第２の固定側接点と摺接しながら当接して接点がオン状態に維持されることを特徴とするスイッチ装置。
【請求項２】
前記第２の可動側接点は、前記ケース内の前記スライド部材の上面側に形成されたロック手段の形成面とは対向する前記スライド部材の下面側に配設されたことを特徴とする請求項１記載のスイッチ装置。
【請求項３】
前記ケースの内底部には、前記第１のスイッチ部と前記第２のスイッチ部との間に隔壁を形成したことを特徴とする請求項１、又は２記載のスイッチ装置。
【請求項４】
前記第１のスイッチ部が一次側のＡＣ電源切り換え用の電源スイッチであり、前記第２のスイッチ部が二次側のＤＣ電源切り換え用の検出スイッチであることを特徴とする請求項１乃至３の何れかに記載のスイッチ装置。
【発明の詳細な説明】
【０００１】
【発明の属する技術分野】
本発明は、電子機器の検出スイッチ付き電源スイッチとして使用されるスイッチ装置に係り、特に検出スイッチ部を電源スイッチ部と同一のケースに収納した内蔵タイプのスイッチ装置の構造に関する。
【０００２】
【従来の技術】
従来の検出スイッチ付き電源スイッチの構造としては、既存の検出スイッチを電源スイッチの前部、又は後部などに連結部材を使用して接続、固定して形成した外付けタイプのスイッチ装置や、電源スイッチ部の本体ケース内に既存の検出スイッチのスイッチ部を組み込んで形成した内蔵タイプのスイッチ装置が知られている。
【０００３】
外付けタイプのスイッチ装置は、既存の検出スイッチをそのまま使用し、検出スイッチの操作部となる操作レバーの形状を一部変更することによって、電源スイッチの操作部に連設されたスライド部材での押圧操作を可能とし、電源スイッチの操作部が押圧操作された場合に、検出スイッチも同時に操作されるように連結部材によって連結された構造となっている。この場合、検出スイッチ部と電源スイッチ部とは独立しており、それぞれ個別のケースから形成されたものとなっている。
【０００４】
また、内蔵タイプのスイッチ装置は、既存の検出スイッチから操作レバー及びケース部分を削除して、スイッチ部を取り出し、このスイッチ部のみ電源スイッチのケース内に組み込んで形成したもので、電源スイッチ側のケースと、必要に応じて操作部となるスライド部材の形状を一部変更することによって、検出スイッチの切り換えを可能にしている。この場合、検出スイッチ部と電源スイッチ部とは同一のケース内に内蔵されており、連結部材などを使用する必要がなくなるものとなる。
【０００５】
【発明が解決しようとする課題】
しかしながら、上述した従来の検出スイッチ付き電源スイッチの構造においては、外付けタイプのスイッチ装置では、既存の検出スイッチを連結部材などで電源スイッチの前後に連結していたため、検出スイッチ部の取付部の強度の問題や、オン位置精度の問題、また、部品点数の増加や組み立て作業性でコストアップしてしまう等の問題があった。
【０００６】
また、外付けタイプ、内蔵タイプの両方とも、スライド部材の移動ストロークの問題や、絶縁距離を確保しなければならない安全規格との関係で、外形サイズが大きくなってしまうという問題があった。
【０００７】
したがって、本発明では上述した問題点を解決し、可動側接点に捻りコイルばねを使用することにより、検出スイッチ部の構成を簡易化でき、小型化、組立性向上、コストの低減ができると共に、オン位置精度や取付強度の向上が図れるスイッチ装置を提供することを目的とする。
【０００８】
【課題を解決するための手段】
上記課題を解決するために本発明では第１の手段として、第１の固定側接点と、この第１の固定側接点と接離される第１の可動側接点を有する導体板と、この導体板を支持する中央端子と、前記導体板と前記中央端子との間に屈曲して配設され、前記導体板を前記中央端子に揺動可動に支持するばね部材とからなる第１のスイッチ部と、第２の固定側接点と、この第２の固定側接点と接離される第２の可動側接点とからなる第２のスイッチ部と、前記導体板を前記ばね部材のばね性によりスライド移動方向に対して略垂直な方向へ変位させて前記第１の可動側接点を前記第１の固定側接点に接離させると共に、前記第２の可動側接点を変位させて前記第２の固定側接点に接離させるスライド部材と、このスライド部材を突出位置とロック位置に移動可能に保持すると共に、前記第１のスイッチ部及び前記第２のスイッチ部を内蔵するケースとを備え、前記第２の固定側接点は、前記ケースの内底面側に対向して配設された一対の固定端子からなり、前記第２の可動側接点は、前記スライド部材の下面側に配設された一対の前記固定端子と接触されるアーム部を有する捻りコイルばねからなり、前記スライド部材の下面側には、突起からなるガイド部と、このガイド部を挟んで一対のフック状の保持部を形成し、捻りコイルばねからなる前記第２の可動側接点の巻回部を前記ガイド部に挿通して係止すると共に、一対の前記アーム部を前記保持部に弾接し、初期の状態では、前記第２の可動側接点と一対の前記固定端子からなる前記第２の固定側接点とが一定の間隔をおいて離間されて接点はオフ状態であり、前記スライド部材が押し込まれると前記第２の可動側接点が前記第２の固定側接点と当接して接点がオン状態になり、さらに前記スライド部材が押し込まれても前記第２の可動側接点の一対の前記アーム部が撓んで前記第２の固定側接点と摺接しながら当接して接点がオン状態に維持される構成とした。
【０００９】
また、第２の手段として、前記第２の可動側接点は、前記ケース内の前記スライド部材の上面側に形成されたロック手段の形成面とは対向する前記スライド部材の下面側に配設された構成とした。
【００１１】
また、第３の手段として、前記ケースの内底部には、前記第１のスイッチ部と前記第２のスイッチ部との間に隔壁を形成した構成とした。
【００１２】
また、第４の手段として、前記第１のスイッチ部が一次側のＡＣ電源切り換え用の電源スイッチであり、前記第２のスイッチ部が二次側のＤＣ電源切り換え用の検出スイッチである構成とした。
【００１３】
【発明の実施の形態】
以下、本発明のスイッチ装置の実施の形態を図１乃至図７に示す。図１はスイッチ装置のオフ時の縦断面図、図２は同じくカバーとスライド部材の一部を破断した状態の平面図、図３はスイッチ装置の検出スイッチ部のオン時の縦断面図、図４は同じくカバーとスライド部材の一部を破断した状態の平面図、図５は検出スイッチ部と電源スイッチ部とがオン時の縦断面図、図６は同じくカバーとスライド部材の一部を破断した状態の平面図、図７は検出スイッチの可動側接点とスライド部材の係合状態を示す部分斜視図である。
【００１４】
図において、ケース１は、合成樹脂などの絶縁材で上面が開口された箱状に形成されている。このケース１の開口内にはそれぞれが隔壁１ａによって分断されて後方に位置する第１の収納部１ｂと、前方に位置する第２の収納部１ｃが形成されている。前記第１の収納部１ｂの内底面には、上面に第１の固定側接点２ａを有する導体の金属板からなる周辺端子２と、この周辺端子２に隣接して同じく導体の金属板からなる中央端子３がそれぞれ配設されている。また、前記第２の収納部１ｃの内底面には、同じく導体の金属板からなる固定端子４、４が対向されて配設されており、この固定端子４、４の先端部がそれぞれ第２の固定側接点４ａ、４ａを形成している。
【００１５】
前記第１、及び第２の収納部１ｂ、１ｃには後述するスライド部材１１が収納され、スライド移動可能に配設されている。また、前記ケース１の先端側には、回路基板などへ取り付けるための取付脚５ａを有する金属板からなるフレーム５が取り付けられており、後端側には、後述するカバー１３を取り付ける取付突部１ｄが形成されている。また、前記ケース１の先端側には、後述するスライド部材１１のロックカム（図示せず）に一端側が係合してスライド部材１１を押し込み位置にロックする、ロックピン（図示せず）の他端側を軸支する軸孔１ｅが設けられており、この軸孔１ｅの更に先端側には、後述するスライド部材１１を復帰位置に付勢する復帰ばね６の一端側が係止される復帰ばね係止部１ｆが延設されている。
【００１６】
前記中央端子３には、後述する支持アーム７を係止する支持アーム係止用突起３ａと、後述する反転用コイルばね１０を係止するばね係止用突起３ｂがそれぞれ立設されており、この係止用突起３ａ、３ｂに後述する支持アーム７と反転用コイルばね１０の一端側がそれぞれ係止されるものとなっている。また、この係止部は、後述する支持アーム７及び反転用コイルばね１０の線径に合わせてそれぞれ円弧状に形成されている。
【００１７】
支持アーム７は、導電性のばね性を有する丸線材で略Ｕ字状に形成され、前記支持アーム係止用突起３ａに係止される係止軸と、この係止軸から延設され撓み可能に対向された一対のアーム片を備えており、このアーム片の先端側が後述する導体板８の側壁８ａに設けられた係止孔８ｃに係合して、導体板８と一体に回動可能に係合されるようになっている。
【００１８】
導体板８は、同じく導体の金属板からなり、両側部には側壁８ａが対向されて設けられ、この導体板８の中央には、窓孔部８ｂが設けられている。前記側壁８ａには、一対の係止孔８ｃが設けられ、この係止孔８ｃに前記支持アーム７が回動可能に係合されるものとなっている。また、前記窓孔部８ｂ内には、前記支持アーム７が遊嵌されると共に、前記支持アーム係止用突起３ａや後述する反転用コイルばね１０なども遊嵌されるものとなっている。
【００１９】
また、前記導体板８の一端側には、第１の可動側接点９が固着されている。また、前記第１の可動側接点９が固着される前記導体板８の一端側に前記係止孔８ｃが形成されて、前記支持アーム７が係合されるものとなっており、他端側には後述する反転用コイルばね１０の一端側が係止されて、前記中央端子３に可動に取り付けられるものとなっている。また、前記他端側には、後述するスライド部材１１の作動面部１１ｄと当接して前記導体板８をスライド移動方向に対して略垂直な方向へ変位させる円弧面からなる当接部８ｄが設けられている。
【００２０】
反転用コイルばね１０は、導電性のばね性を有する丸線材でコイル状に巻回されて形成され、一対のばね片を有し、一方のばね片は前記中央端子３のばね係止用突起３ｂに係止され、他方のばね片は前記導体板８の他端側に係止されている。前記反転用コイルばね１０は、前記中央端子３と前記導体板８との間に屈曲されて配設されており、前記導体板８は前記反転用コイルばね１０の付勢力によって前記第１の固定側接点２ａの配設位置（前記第１の収納部１ｂの内底面側）とは反対の方向へ付勢されたものとなっている。
【００２１】
前記導体板８の一端側に固着された前記第１の可動側接点９は、前記周辺端子２に設けられた第１の固定側接点２ａと接離可能なように対向して配設されており、この場合、前記中央端子３と、前記反転用コイルばね１０と、前記支持アーム７と、前記導体板８と、前記周辺端子２とで、第１のスイッチ部である一次側のＡＣ電源切り換え用の電源スイッチを構成している。
【００２２】
スライド部材１１は、合成樹脂などの絶縁材から形成されており、前記ケース１の第１の収納部１ｂ、に配設される基部１１ａと、この基部１１ａの先端に延設された操作部１１ｂとを備えている。前記基部１１ａには、前記導体板８や支持アーム７等を収容する導体板収容部１１ｃが設けられ、この導体板収容部１１ｃには、前記導体板８の当接部８ｄと摺接して前記導体板８をスライド移動方向に対して略垂直な方向へ変位させる、傾斜面からなる作動面部１１ｄが形成されている。また、前記導体板収容部１１ｃの上面側には、前記導体板８の先端部と当接して導体板８の位置を規制する突起部１１ｅが設けられている。
【００２３】
また、前記基部１１ａの先端側には、前記したロックピン（図示せず）が摺接されて、前記スライド部材１１を押し込み位置にロックするロックカム（図示せず）が形成されている。また、前記操作部１１ｂには、前記スライド部材１１を復帰位置に付勢する前記復帰ばね６を収納する復帰ばね収納部１１ｆが設けられている。
【００２４】
また、前記スライド部材１１の、前記ロックカムが形成された面とは対向する下面側には、円柱状の突起からなるガイド部１１ｇが形成されており、このガイド部１１ｇを挟んで両側部には一対のフック状の保持部１１ｈ、１１ｈが対向されて形成されている。このガイド部１１ｇには、導電性のばね性を有する丸線材でコイル状に巻回されて形成された捻りコイルばねからなる第２の可動側接点１２の巻回部１２ａが係止されており、また、この巻回部１２ａから延設された一対のアーム部１２ｂ、１２ｂが、前記保持部１１ｈ、１１ｈに弾接されて取り付けられたものとなっている。
【００２５】
また、一対の前記アーム部１２ｂ、１２ｂが、前記第２の収納部１ｃの内底面に配設された、一対の前記固定端子４、４の先端に設けられた前記第２の固定側接点４ａ、４ａと接離可能なように対向して配設されており、この場合、捻りコイルばねからなる前記第２の可動側接点１２と、一対の前記固定端子４、４の先端に設けられた前記第２の固定側接点４ａ、４ａとで、第２のスイッチ部である二次側のＤＣ電源切り換え用の検出スイッチを構成している。また、前記電源スイッチ部と前記検出スイッチ部とは、前記ケース１の内底部に設けられた前記隔壁１ａによって、それぞれが分断された状態で形成されたものとなっている。
【００２６】
このように、電源スイッチ部と検出スイッチ部との間に前記隔壁１ａを形成するようにしたことから、一次側の電源スイッチ部に発生するアークなどが、二次側の検出スイッチ部に影響を及ぼすことがないため、スイッチの信頼性が向上するものとなっている。
【００２７】
カバー１３は、合成樹脂などの絶縁材で方形状に形成され、前記ケース１の後端側の前記取付突部１ｄと係止される取付腕部１３ａと、前記ケース１の先端側に取り付けられた前記フレーム５とによって、前記ケース１の開口された前記第１、及び第２の収納部１ｂ、１ｃを覆うように取り付けられている。
【００２８】
前述したスイッチ装置の第１のスイッチ部の接点機構を組み立てる場合には、まず、前記ケース１の内底面に配設されている前記中央端子３に前記導体板８を取り付けることとなるが、この場合、前記導体板８に、前記支持アーム７を弾性付勢して係合するようにしてあるため、前記導体板８と支持アーム７が一体部品になっており、前記導体板８の窓孔部８ｂに前記中央端子３の支持アーム係止用突起３ａを遊嵌させて、前記支持アーム７を前記支持アーム係止用突起３ａに組み込むだけで、容易に前記中央端子３に前記導体板８を組み込むことができるようになっている。この時、前記導体板８が前記支持アーム係止用突起３ａに挿入ガイドされることで、位置決めされるものとなる。この状態から、前記反転用コイルばね１０を前記導体板８の窓孔部８ｂに遊嵌させた状態で、前記導体板８の他端部と前記中央端子３の前記ばね係止用突起３ｂとの間に、前記反転用コイルばね１０を屈曲させて係止させて第１のスイッチ部の組立は終了する。
【００２９】
この時、前記導体板８は前記反転用コイルばね１０の付勢力で前記第１の収納部１ａの前記周辺端子２が配設された方向とは反対の方向へ付勢された状態となり、前記第１の可動側接点９が固着された側の上端面側が、前記スライド部材１１の突起部１１ｅに当接し、他端側の前記当接部８ｄが前記作動面部１１ｄに当接することで、前記導体板８は前記第１の可動側接点９と第１の固定側接点２ａが一定の間隔を保持した状態で前記第１の収納部１ｂ内に略平行に配設された状態となっている。
【００３０】
また、前記スライド部材１１のロックカムが形成された面とは対向する下面側には、円柱状の突起からなるガイド部１１ｇと、このガイド部１１ｇを挟んで両側部に一対のフック状の保持部１１ｈ、１１ｈが対向されて形成されており、このガイド部１１ｇに、捻りコイルばねからなる前記第２の可動側接点１２の巻回部１２ａが係止されると共に、この巻回部１２ａから延設された一対のアーム部１２ｂ、１２ｂが、前記保持部１１ｈ、１１ｈに弾接されて取り付けられており、前記スライド部材１１が前記第１、及び第２の収納部１ｂ、１ｃに収納された時、一対の前記アーム部１２ｂ、１２ｂが、前記第２の収納部１ｃの内底面に配設された、一対の前記固定端子４、４の先端に設けられた前記第２の固定側接点４ａ、４ａと一定の間隔を保持した状態で対向して配設されることで、第２のスイッチ部が構成されるものとなっている。
【００３１】
この場合、図７に示すように、前記第２の可動側接点１２の一対の前記アーム部１２ｂ、１２ｂが、前記スライド部材１１の前記保持部１１ｈ、１１ｈに弾接されて取り付けられていることから、一体化できて組立が容易であるうえに、一対の前記アーム部１２ｂ、１２ｂに予めプリテンションがかかっているため、オン時の接点圧の確保が容易に得られるものとなっている。
【００３２】
次に、上述したスイッチ装置の動作を図１乃至図６で説明する。
図１、図２に示すように、初期の状態では前記導体板８は前記第１の可動側接点９が前記第１の固定側接点２ａと一定の間隔をおいて離間された状態で接点がオフ状態となっている。この状態では、前記導体板８は前記反転用コイルばね１０の付勢力で前記周辺端子２及び第１の固定側接点２ａとは反対の方向（上側）へ付勢された状態となっている。また、前記第２の可動側接点１２と第２の固定側接点４ａも一定の間隔をおいて離間されており接点はオフ状態となっている。
【００３３】
この状態から、前記スライド部材１１の操作部１１ｂが前記復帰ばね６の付勢力に抗して押し込まれると、図３、図４に示すように、前記スライド部材１１のガイド部１１ｇに係止された第２の可動側接点１２が共に後方に移動され、前記第２の可動側接点１２が前記第２の固定側接点４ａと当接して接点がオン状態となる。この時、前記スライド部材１１の作動面部１１ｄが前記導体板８の当接部８ｄを押圧するが、前記第１の可動側接点９と第１の固定側接点２ａは、まだ離間されており接点はオフ状態となっている。
【００３４】
この状態から前記スライド部材１１の操作部１１ｂが更に押し込まれると、図５、図６に示すように、前記スライド部材１１の作動面部１１ｄが前記導体板８の当接部８ｄを更に押圧し、前記導体板８の当接部８ｄ側を前記反転用コイルばね１０の付勢力に抗して前記第１の収納部１ｂの内底面側へ押し下げる。この時、前記反転用コイルばね１０と導体板８との係止部が、前記支持アーム７と中央端子３の係止部（前記支持アーム係止用突起３ａの係止部）と重なった時を境にして前記反転用コイルばね１０の付勢力の方向が下側へと反転し、前記導体板８は前記第１の収納部１ｂの内底面側に自走して前記第１の可動側接点９が前記第１の固定側接点２ａと当接して接点がオン状態となる。
【００３５】
この時、前記第２の可動側接点１２は、更に後方に移動するものとなるが、前記アーム部１２ｂ、１２ｂが前記第２の固定側接点４ａと当接した状態で自らの弾性力によって撓むこととなり、撓むことにより摺接しながら引き続き前記第２の固定側接点４ａと当接して接点がオン状態を維持するものとなっている。このように前記第２の可動側接点１２を捻りコイルばねで形成することにより、ロングストロークでのオン保持が可能となっており、摺接することにより接触部の安定化が図れるものとなっている。そして、前記スライド部材１１は、図示しないロックピンとロックカムの協働により押し込み位置へロックされるものとなる。
【００３６】
この状態から、ロックを解除する場合には、前記スライド部材１１の操作部１１ｂを更に押圧してやると、ロックピンがロックカムから外れて、前記スライド部材１１は前記復帰ばね６の付勢力で初期位置へ復帰するものとなる。この時、前記導体板８と反転用コイルばね１０との係止部が、前記支持アーム７と前記中央端子３との係止部（前記支持板係止用突起３ａの係止部）を越えると前記反転用コイルばね１０の付勢力の方向が上側へと反転し、前記導体板８は前記第１の収納部１ｂの内底面とは反対側に自走して前記第１の可動側接点９が前記第１の固定側接点２ａと離間して接点がオフ状態になると共に、前記第２の可動側接点１２も前記第２の固定側接点４ａ、４ａと離間して接点がオフ状態となり、図１、図２に示す初期状態へと復帰する。
【００３７】
上記した本発明の実施例によれば、二次側のＤＣ電源切り換え用の検出スイッチの接点部に、捻りコイルばねからなる前記第２の可動側接点１２を使用する構成としたことから、検出スイッチ部の構成を簡易化できると共に、小型化、コストの低減が図れ、更には捻りコイルばねの取り扱いが容易で変形しにくいため、組み立ての作業性も向上されるものとなっている。
【００３８】
また、一次側のＡＣ電源切り換え用の電源スイッチと、二次側のＤＣ電源切り換え用の検出スイッチの接点部を同一の前記ケース１内に内蔵し、このケース１に移動可能に収納される前記スライド部材１１のロックカムが形成された上面側と対向する下面側に、検出スイッチの前記第２の可動側接点部１２と前記第２の固定側接点部４ａを形成するようにしたことから、前記スライド部材１１の下面側のデットスペースを有効に活用することで、スイッチ装置の外形を小さくでき、安価対応が可能であると共に、検出スイッチを同一のケースに内蔵することにより取り付け部の強度やオン位置精度の向上も図れるものとなっている。
【００３９】
尚、上述した実施例では、検出スイッチの前記固定端子４及び前記第２の固定側接点４ａを導体の金属板で形成する構成としたが、これに変えて導体の線材で形成するようにしてもよく、この場合には、材料費が低減され、更にコストの低減が図れるものとなる。
【００４０】
また、検出スイッチの捻りコイルばねからなる前記第２の可動側接点１２を前記スライド部材１１の下面側に形成された前記ガイド部１１ｇに係止する構成としたが、これに変えて前記ケース１の第２収納部１ｃの内底面に前記ガイド部１１ｇを形成し、前記第２の可動側接点１２を係止するようにしてもよく、この場合にも、上述した構成と同様の効果が得られるのはもちろんである。
【００４１】
【発明の効果】
以上説明したように、本発明のスイッチ装置の構成は、第１の固定側接点と、この第１の固定側接点と接離される第１の可動側接点を有する導体板と、この導体板を支持する中央端子と、導体板と中央端子との間に屈曲して配設され、導体板を中央端子に揺動可動に支持するばね部材とからなる第１のスイッチ部と、第２の固定側接点と、この第２の固定側接点と接離される第２の可動側接点とからなる第２のスイッチ部と、導体板をばね部材のばね性によりスライド移動方向に対して略垂直な方向へ変位させて第１の可動側接点を第１の固定側接点に接離させると共に、第２の可動側接点を変位させて第２の固定側接点に接離させるスライド部材と、このスライド部材を突出位置とロック位置に移動可能に保持すると共に、第１のスイッチ部及び第２のスイッチ部を内蔵するケースとを備え、第２の固定側接点は、ケース内に対向して配設された一対の固定端子からなり、第２の可動側接点は、一対の固定端子と接触されるアーム部を有する捻りコイルばねからなることから、検出スイッチ部の構成を簡易化できると共に、小型化、コストの低減が図れ、更には捻りコイルばねの取り扱いが容易で変形しにくいため、組み立ての作業性も向上される。また、ロングストロークでのオン保持が可能となり、摺接することにより接触部の安定化が図れる。
【００４２】
また、一対の前記固定端子は、ケースの内底面側に配設され、第２の可動側接点は、ケース内のスライド部材の上面側に形成されたロック手段の形成面とは対向するスライド部材の下面側に配設されたことから、スライド部材の下面側のデットスペースを有効に活用することで、スイッチ装置の外形を小さくでき、安価対応が可能であると共に、検出スイッチを同一のケースに内蔵することにより取り付け部の強度やオン位置精度の向上も図れる。
【００４３】
また、スライド部材の下面側には、突起からなるガイド部と、このガイド部を挟んで一対のフック状の保持部を形成し、捻りコイルばねからなる第２の可動側接点の巻回部をガイド部に係止すると共に、一対のアーム部を保持部に弾接したことから、一体化できて組立が容易であるうえに、一対のアーム部に予めプリテンションがかかっているため、オン時の接点圧の確保が容易に得られる。
【００４４】
また、ケースの内底部には、第１のスイッチ部と第２のスイッチ部との間に隔壁を形成したことから、一次側の電源スイッチ部に発生するアークなどが、二次側の検出スイッチ部に影響を及ぼすことがないため、スイッチの信頼性が向上する。
【００４５】
また、第１のスイッチ部が一次側のＡＣ電源切り換え用の電源スイッチであり、第２のスイッチ部が二次側のＤＣ電源切り換え用の検出スイッチであることから、簡易な構成で小型、廉価対応の可能な検出スイッチ付きの電源スイッチが提供できる。
【図面の簡単な説明】
【図１】本発明の一実施例であるスイッチ装置のオフ時を示す縦断面図である。
【図２】本発明の同じくスイッチ装置のオフ時のカバーとスライド部材の一部を破断した状態を示す平面図である。
【図３】本発明のスイッチ装置の検出スイッチ部のオン時を示す縦断面図である。
【図４】本発明の同じくスイッチ装置の検出スイッチ部のオン時のカバーとスライド部材の一部を破断した状態を示す平面図である。
【図５】本発明のスイッチ装置の検出スイッチ部と電源スイッチ部のオン時を示す縦断面図である。
【図６】本発明の同じくスイッチ装置の検出スイッチ部と電源スイッチ部のオン時のカバーとスライド部材の一部を破断した状態を示す平面図である。
【図７】本発明の検出スイッチの可動側接点とスライド部材の係合状態を示す部分斜視図である。
【符号の説明】
１  ケース
１ａ  隔壁
１ｂ  第１の収納部
１ｃ  第２の収納部
１ｄ  取付突部
１ｅ  軸孔
１ｆ  復帰ばね係止部
２  周辺端子
２ａ  第１の固定側接点
３  中央端子
３ａ  支持アーム係止用突起
３ｂ  ばね係止用突起
４  固定端子
４ａ  第２の固定側接点
５  フレーム
５ａ  取付脚
６  復帰ばね
７  支持アーム
８  導体板
８ａ  側壁
８ｂ  窓孔部
８ｃ  係止孔
８ｄ  当接部
９  第１の可動側接点
１０  反転用コイルばね（ばね部材）
１１  スライド部材
１１ａ  基部
１１ｂ  操作部
１１ｃ  導体板収納部
１１ｄ  作動面部
１１ｅ  突起部
１１ｆ  復帰ばね収納部
１１ｇ  ガイド部
１１ｈ  保持部
１２  第２の可動側接点（捻りコイルばね）
１２ａ  巻回部
１２ｂ  アーム部
１３  カバー
１３ａ  取付腕部
【図１】
0004030730.tif 000002
【図２】
0004030730.tif 000003
【図３】
0004030730.tif 000004
【図４】
0004030730.tif 000005
【図５】
0004030730.tif 000006
【図６】
0004030730.tif 000007
【図７】
0004030730.tif 000008